(57)【要約】　　　（修正有）【課題】支脚を取り外すことなく、テーブルの天板の高さを２通りの高さとして使用でき、脚を折りたたみ式としたテーブルを提供する。【解決手段】支脚３Ａ，３Ｃを、長い脚４と短い脚５をＬ字状に一体に連結して形成し、該支脚３Ａ，３Ｃを、その交点部において、長い脚４と短い脚５の一方を起立すると他方が天板の裏面に倒伏するように天板の裏面に回転可能に備える。前記支脚３Ａ，３Ｃの長い脚４の起立状態を保持する保持手段と、短い脚５の起立状態を保持する保持手段を設ける。【選択図】　　　図２
0003099063.tif 000002
【実用新案登録請求の範囲】
【請求項１】
支脚を、長い脚と短い脚をＬ字状に一体に連結して形成し、該支脚を、その交点部において、長い脚と短い脚の一方を起立すると他方が天板の裏面に倒伏するように天板の裏面に回転可能に備え、前記支脚の長い脚の起立状態を保持する保持手段と、短い脚の起立状態を保持する保持手段を設けたことを特徴とするテーブル。
【請求項２】
天板の中央部から右側に位置して前後の支脚を設け、左側に位置して前後の支脚を設け、前記それぞれの支脚を、長い脚と短い脚をＬ字状に一体に連結して形成し、該支脚を、その交点部において、長い脚と短い脚の一方を起立すると他方が天板の裏面に倒伏するように天板の裏面に回転可能に備え、かつ、前記長い脚を天板の中央部側へ倒伏し、前記短い脚を天板の中央部側と反対の側へ倒伏するようにし、更に、前記支脚の長い脚の起立状態を保持する保持手段と、短い脚の起立状態を保持する保持手段を設けたことを特徴とするテーブル。
【請求項３】
前記長い脚が起立した状態の保持手段を、前記短い脚に、該短い脚が天板の裏面に倒伏した際に天板の裏面に当接する第２の連結板を設けるとともに該第２の連結板にボルトを備え、天板の裏面には前記ボルトを螺着するナットを設けて構成し、前記短い脚が起立した状態の保持手段を、前記長い脚に、該長い脚が天板の裏面に倒伏した際に天板の裏面に当接する第１の連結板を設けるとともに該第１の連結板にボルトを備え、天板の裏面には前記ボルトを螺着するナットを設けて構成した請求項１又は２記載のテーブル。
【請求項４】
前記支脚の交点部の側面に位置して保持板を天板の下面に固設し、支脚側と保持板との一方に出没可能で常時突出方向に付勢したストッパを設け、他方に前記ストッパが嵌合する凹部を設け、かつ、該凹部を、長い脚の起立時に前記ストッパが嵌合する第１の凹部と、短い脚の起立時に前記ストッパが嵌合する第２の凹部で構成した請求項３記載のテーブル。
【考案の詳細な説明】
【０００１】
【考案の属する技術分野】
本考案はテーブルに関する。
【０００２】
【従来の技術】
従来、テーブルには、天板の高さが低めのリビングテーブルや座卓などがあり、また、天板が少し高めのダイニングテーブルなどがある。
【０００３】
このような天板の低いテーブルと天板の高いテーブルの双方の使用が、１個のテーブルで行えるように、短い支脚と長い支脚を用意してこれを選択的に付け替えるようにしたものや、接ぎ脚を付けたり外したりするようにしたテーブルが知られている。
【０００４】
【考案が解決しようとする課題】
前記従来のように支脚を付け替えたり、接ぎ脚にするものにおいては、使用しない部品（支脚や接ぎ脚）が出るため、その保管場所や他の方法に困る場合がある。
【０００５】
また、支脚の付け替えや接ぎ作業に道具が必要であり、また、取付ネジを付けたり外したりする必要があり、このような部品の保管にも留意しなければならない。
【０００６】
そこで本発明は、支脚を取り外すことなく、テーブルの天板の高さを２通りの高さとして使用できるとともに前記のような部品の保管の問題を解決するテーブルを提供することを目的とするものである。
【０００７】
【課題を解決するための手段】
前記の課題を解決するために、請求項１記載の考案は、支脚を、長い脚と短い脚をＬ字状に一体に連結して形成し、該支脚を、その交点部において、長い脚と短い脚の一方を起立すると他方が天板の裏面に倒伏するように天板の裏面に回転可能に備え、前記支脚の長い脚の起立状態を保持する保持手段と、短い脚の起立状態を保持する保持手段を設けたことを特徴とするものである。
【０００８】
本考案においては、長い脚を起立し、短い脚を天板の裏面に倒伏することにより、天板の高さを高くすることができる。また、前記の状態から支脚を回転して短い脚を起立し、長い脚を天板の裏面に倒伏することにより、天板の高さを低くすることができる。
【０００９】
請求項２記載の考案は、天板の中央部から右側に位置して前後の支脚を設け、左側に位置して前後の支脚を設け、前記それぞれの支脚を、長い脚と短い脚をＬ字状に一体に連結して形成し、該支脚を、その交点部において、長い脚と短い脚の一方を起立すると他方が天板の裏面に倒伏するように天板の裏面に回転可能に備え、かつ、前記長い脚を天板の中央部側へ倒伏し、前記短い脚を天板の中央部側と反対の側へ倒伏するようにし、更に、前記支脚の長い脚の起立状態を保持する保持手段と、短い脚の起立状態を保持する保持手段を設けたことを特徴とするものである。
【００１０】
本考案においては、短い脚を、天板の中央部側と反対の方向へ倒伏するようにしたので、この方向へ長い脚を倒伏する場合に比べて、左右方向に位置する支脚の天板への取付間隔を広くすることができ、天板の安定した支持が行える。
【００１１】
請求項３記載の考案は、前記請求項１又は２記載の考案において、前記長い脚が起立した状態の保持手段を、前記短い脚に、該短い脚が天板の裏面に倒伏した際に天板の裏面に当接する第２の連結板を設けるとともに該第２の連結板にボルトを備え、天板の裏面には前記ボルトを螺着するナットを設けて構成し、前記短い脚の保持手段を、前記長い脚に、該長い脚が天板の裏面に倒伏した際に天板の裏面に当接する第１の連結板を設けるとともに該第１の連結板にボルトを備え、天板の裏面には前記ボルトを螺着するナットを設けて構成したものである。
【００１２】
本考案においては、保持手段の両ボルトを常時連結板に備えておいて、そのボルトを手動で回転してナットに螺着することでいずれの脚の起立状態をも固定することができる。
【００１３】
請求項４記載の考案は、前記請求項３記載の考案において、前記支脚の交点部の側面に位置して保持板を天板の下面に固設し、支脚側と保持板との一方に出没可能で常時突出方向に付勢したストッパを設け、他方に前記ストッパが嵌合する凹部を設け、かつ、該凹部を、長い脚の起立時に前記ストッパが嵌合する第１の凹部と、短い脚の起立時に前記ストッパが嵌合する第２の凹部で構成したものである。
【００１４】
本考案においては、長い脚を起立した状態と短い脚を起立した状態を、ストッパと凹部との嵌合により仮保持できる。したがって、この仮保持状態により前記のボルトの螺着作業ができ、そのボルトによる固定作業が容易になる。
【００１５】
【考案の実施の形態】
本考案の好ましい実施の形態を図に示す実施例に基づいて説明する。
【００１６】
図１乃至図４はテーブルの支脚を長くした形態を示し、図５乃至図８はテーブルの支脚を短くした形態を示す。
【００１７】
テーブル１の天板２における裏面の略四隅には支脚３Ａ〜３Ｄが設けられている。この４個の支脚３Ａ〜３Ｄは同一構造であるため支脚３Ａについて説明する。
【００１８】
支脚３Ａは長尺の長い脚４と短尺の短い脚５を連結して一体化したＬ状に形成されている。そして、長い支脚４と短い支脚５の交点部を支点として、天板２の長手方向（左右方向）Ａ−Ｂに回転するように交点部を天板２の裏面に付設している。この回転部の構造を図４及び図８により説明する。
【００１９】
天板２の裏面には、支脚３Ａの起倒方向に沿って保持板６が固設されている。前記のようにＬ状に形成された支脚３Ａの交点部は前記保持板６の内側面に近接して配置され、該交点部の一方の脚、図の実施例では長い脚４が天板２の裏面にヒンジ７により連結されており、該支脚３Ａが天板２の左右方向Ａ−Ｂに回転可能に備えられている。
【００２０】
前記支脚３Ａにおける前記保持板６と対向する面側にはストッパ８が出没可能に設けられているとともに、バネなどの付勢手段９により突出方向へ常時付勢されている。
【００２１】
前記保持板６の内面、すなわち前記支脚３Ａと対向する面側には、図４に示すように、長い脚４を起立したときに前記ストッパ８が嵌合する第１の凹部１０Ａと、図８に示すように短い脚５を起立したときにストッパ８が嵌合する第２の凹部１０Ｂが形成されている。したがって、図４の長い脚４の起立状態ではストッパ８が第１の凹部１０Ａに嵌合してその脚４の起立状態が仮保持され、この状態から手動により支脚３Ａを矢印Ａ方向に回転すると、ストッパ８が付勢手段９に抗して没入してその支脚３Ａの回転が可能になり、図８に示すように長い脚４が天板２の裏面に倒伏して短い脚５が起立すると、ストッパ８が第２の凹部１０Ｂに位置して付勢手段９によりストッパ８が第２の凹部１０Ｂ内に突入嵌合し、その短い脚５の起立状態が仮保持されるようになっている。
【００２２】
また、前記図８の状態から図４の状態にする場合に、図８の状態から支脚３Ａを矢印Ｂ方向に回転すると、支脚３Ａの回転によりストッパ８が前記と同様に作用し、図４に示すように長い脚４が起立すると、その起立状態がストッパ８により仮保持される。
【００２３】
前記天板２の右側に位置する前後の支脚３Ａ，３Ｂの長い脚４，４間には第１の連結材１１が架設されており、該第１の連結板１１には、長い脚４，４が図８に示すように天板２の裏面側に倒伏したときに、天板２側に向かうナット１２が貫通して埋設されている。そして、該ナット１２にボルト１３が螺装されている。また、天板２の裏面には、長い脚４を図８に示すように倒伏したときに、前記ナット１２と一致し、前記ボルト１３を螺着できるようにナット１４が設けられている。前記ボルト１３とナット１４が短い脚の起立状態を保持する保持手段を構成している。
【００２４】
また、前記天板２の右側に位置する前後の支脚３Ａ，３Ｂの短い脚５，５間には第２の連結板１５が架設されており、該第２の連結板１５には、短い脚５，５が図４に示すように天板２の裏面側に倒伏したときに、天板２側に向かうナット１６が貫通して埋設されている。そして、該ナット１６にボルト１７が螺装されている。また、天板２の裏面には、短い脚５を図４に示すように倒伏した時に、前記ナット１６と一致し、前記ボルト１７を螺着できるナット１８が設けられている。前記ボルト１７とナット１８が長い脚の起立状態を保持する保持手段を構成している。
【００２５】
なお、前記右側の支脚３Ａ，３Ｂは、その短い脚５，５が天板２の中央部側と反対の側である右端側へ向かって倒れ、長い脚４，４は天板２の中央部側へ向かって倒れるようになっている。
【００２６】
左側の前後の支脚３Ｃ，３Ｄも前記の右側の支脚３Ａ，３Ｂと同様の構造で天板２に回転可能に付設されているとともにその長い脚４と短い脚５の起立状態の保持構造も前記と同様に構成されている。そのため，前記と同一部分には前記と同一符号を付してその説明は省略する。
【００２７】
以上の構造であるため、天板２を高くする場合には、各長い脚４側を起立させてストッパ８を第１の凹部１０Ａに嵌合して仮止めするとともに、第２の連結板１５に付設されたボルト１７を天板２の裏面に設けたナット１８に螺着してその長い脚４の起立状態を保持する。
【００２８】
また、前記の状態から天板２を低くする場合には、ボルト１７を手動で回転してナット１８より外すとともに第２の連結板１５に付けたまま各支脚３Ａ〜３Ｄを回転して各短い脚５側を起立させて、ストッパ８を第２の凹部１０Ｂに嵌合して仮止めするとともに、第１の連結板１１に付設されたボルト１３を天板２の裏面に設けたナット１４に螺着してその短い脚５の起立状態を保持する。
【００２９】
また、前記の状態から天板２を高くする場合には、ボルト１３を手動で回転してナット１４より外すとともに第１の連結板１１に付けたまま各支脚３Ａ〜３Ｄを回転して各長い脚４側を起立させるとともに、第２の連結板１５に付設したボルト１７を天板２の裏面に設けたナット１８に螺着してその長い脚４の起立状態を保持する。
【００３０】
以上の操作により、１個のテーブルを、天板の高さを高くしてダイニングテーブルなどとして使用できるとともに、天板の高さを低くしてリビングテーブルや座卓などとして使用することができる。
【００３１】
また、短い脚を、天板の中央部側と反対の方向へ倒伏するようにしたので、この方向へ長い脚を倒伏する場合に比べて、左右方向に位置する支脚の天板への取付間隔を広くすることができ、天板の安定した支持が行える。
【００３２】
また、前記のように天板の高さを変える場合には、手動で支脚を回転し、かつ、その支脚の天板に対する固定と解除はボルトを手動で操作することでよい。
【００３３】
そのため、従来のような道具が不要であり、また、接ぎ脚も不要になり、これらの不要時の保管場所や保管方法に困ることがない。
【００３４】
【考案の効果】
以上のようであるから、本考案によれば、支脚を回転することで、１個のテーブルを、天板の高さが高いダイニングテーブルなどの形態にしたり、天板の高さが低いリビングテーブルや座卓などの形態にすることが容易に行える。
【００３５】
また、短い脚を、天板の中央部側と反対方向へ倒伏するようにしたので、この方向へ長い脚を倒伏する場合に比べて、左右方向に位置する支脚の天板への取付間隔を広くすることができ、天板の安定した支持が行える。
【００３６】
しかも、支脚の起立状態の保持する保持手段を請求項３のように構成することにより、支脚の起立状態を、道具を用いることなく保持することができる。
【００３７】
そのため、前記従来のように、長い脚と短い脚を別々に用意したり接ぎ脚を用意するものや道具を用意するものに見られたような、部品の保管場所や保管方法に困ることがない。
【００３８】
また、請求項４の考案によれば、更に支脚の起立状態をボルトで固定する際に支脚を仮保持でき、その固定作業が容易になる。
【図面の簡単な説明】
【図１】本考案の実施例を示すテーブルの斜視図で、長い脚にした状態を示す。
【図２】図１の正面図。
【図３】図１裏面図。
【図４】図１の状態における支脚の基部付近を示す拡大斜視図。
【図５】図１の状態から短い脚にした状態を示すテーブルの斜視図。
【図６】図５の正面図。
【図７】図５の裏面図。
【図８】図５の状態における支脚の基部付近を示す拡大斜視図。
【符号の説明】
１　　テーブル
２　　天板
３Ａ〜３Ｄ　　支脚
４　　長い脚
５　　短い脚
６　　保持板
７　　ヒンジ
８　　ストッパ
１０Ａ，１０Ｂ　　凹部
１１，１５　　連結板
１３，１７　　ボルト
１４，１８　　ナット
【図１】
0003099063.tif 000003
【図２】
0003099063.tif 000004
【図３】
0003099063.tif 000005
【図４】
0003099063.tif 000006
【図５】
0003099063.tif 000007
【図６】
0003099063.tif 000008
【図７】
0003099063.tif 000009
【図８】
0003099063.tif 000010